(57)【要約】【課題】  製造、配送、販売の段階で商品が置かれた温湿度環境を、購入者が容易に把握できる流通配送管理システムを提供する。【解決手段】  製造業者端末１０は果実酒１１０の製造時から出荷時までに温湿度センサ１５が測定した温湿度と測定時間とをＲＦＩＤリーダ・ライタ１６からＲＦＩＤタグ１２０に書き込ませ、出荷時にＲＦＩＤタグ１２０に記録されている温湿度データが管理規定値以内であれば出荷する。運送業者端末２０は果実酒１１０の集荷時から納入時まで、店舗倉庫端末３０は果実酒１１０の受入時から出庫時まで、それぞれ製造業者端末１０と同様の処理を行う。店舗売場端末４０は陳列時から販売時まで温湿度と測定時間とをＲＦＩＤタグ１２０に書き込ませる。消費者はＲＦＩＤタグ１２０に記録されている温湿度データと測定時間をＲＦＩＤリーダ・ライタ４６に読み込ませて表示装置４７に表示させる。【選択図】      図１
2005208828.tif 000002
【特許請求の範囲】
【請求項１】
商品に添付されデータを記録されるタグと、前記タグへデータの書き込みを行うリーダと、前記タグからデータの読み取りを行うライタと、前記商品の保管場所の温湿度を測定するセンサと、前記商品の製造時から販売時までの間に前記センサが測定した温湿度データと測定時間とを前記ライタから前記タグへ書き込ませる手段と、前記タグに書き込まれた前記温湿度データと前記測定時間とを前記リーダに読み込ませて表示部に表示させる手段とを備えたことを特徴とする流通配送管理システム。
【請求項２】
商品に添付されデータを記録されるタグと、前記タグへデータの書き込みを行うリーダと、前記タグからデータの読み取りを行うライタと、前記商品の保管場所の温湿度を測定するセンサと、製造業者端末と、運送業者端末と、店舗倉庫端末と、店舗売場端末とを備え、
前記製造業者端末は、前記商品の製造時から出荷時までに前記センサが測定した温湿度と測定時間とを前記ライタから前記タグに書き込ませる手段と、出荷時に前記タグに記録されている温湿度データを前記リーダに読み込ませて記憶装置から読み出した管理規定値と比較する手段とを有し、
前記運送業者端末は、出荷時間を前記リーダに前記タグから読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに前記センサが測定した温湿度と測定時間とを前記ライタから前記タグに書き込ませる手段と、納入時に前記タグに記録されている温湿度データを前記リーダに読み込ませて記憶装置から読み出した管理規定値と比較する手段とを有し、
前記店舗倉庫端末は、納入時間を前記リーダに前記タグから読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに前記センサが測定した温湿度と測定時間とを前記ライタから前記タグに書き込ませる手段と、出庫時に前記タグに記録されている温湿度データを前記リーダに読み込ませて記憶装置から読み出した管理規定値と比較する手段とを有し、
前記店舗売場端末は、出庫時間を前記リーダに前記タグから読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに前記センサが測定した温湿度と測定時間とを前記ライタから前記タグに書き込ませる手段と、前記タグに記録されている温湿度データを前記リーダに読み込ませて表示部に表示する手段とを有することを特徴とする流通配送管理システム。
【請求項３】
商品に添付されデータを記録されるタグと、前記タグへデータの書き込みを行うリーダと、前記タグからデータの読み取りを行うライタと、前記商品の保管場所の温湿度を測定するセンサと、製造業者端末と、運送業者端末と、店舗倉庫端末と、店舗売場端末と、携帯端末とを備え、
前記製造業者端末は、前記商品の製造時から出荷時までに前記センサが測定した温湿度と測定時間とを前記ライタから前記タグに書き込ませる手段と、出荷時に前記タグに記録されている温湿度データを前記リーダに読み込ませて記憶装置から読み出した管理規定値と比較する手段とを有し、
前記運送業者端末は、出荷時間を前記リーダに前記タグから読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに前記センサが測定した温湿度と測定時間とを前記ライタから前記タグに書き込ませる手段と、納入時に前記タグに記録されている温湿度データを前記リーダに読み込ませて記憶装置から読み出した管理規定値と比較する手段とを有し、
前記店舗倉庫端末は、納入時間を前記リーダに前記タグから読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに前記センサが測定した温湿度と測定時間とを前記ライタから前記タグに書き込ませる手段と、出庫時に前記タグに記録されている温湿度データを前記リーダに読み込ませて記憶装置から読み出した管理規定値と比較する手段とを有し、
前記店舗売場端末は、出庫時間を前記リーダに前記タグから読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに前記センサが測定した温湿度と測定時間とを前記ライタから前記タグに書き込ませる手段とを有し、
前記携帯端末は、前記タグに記録されている温湿度データと測定時間とを読み込む手段と、読み込んだ温湿度データと測定時間とを表示する手段とを有することを特徴とする流通配送管理システム。
【請求項４】
商品に添付されデータを記録されるタグと、前記タグへデータの書き込みを行うリーダと、前記タグからデータの読み取りを行うライタと、前記商品の保管場所の温湿度を測定するセンサと、製造業者端末と、運送業者端末と、店舗倉庫端末と、店舗売場端末と、ＰＯＳレジスタとを備え、
前記製造業者端末は、前記商品の製造時から出荷時までに前記センサが測定した温湿度と測定時間とを前記ライタから前記タグに書き込ませる手段と、出荷時に前記タグに記録されている温湿度データを前記リーダに読み込ませて記憶装置から読み出した管理規定値と比較する手段とを有し、
前記運送業者端末は、出荷時間を前記リーダに前記タグから読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに前記センサが測定した温湿度と測定時間とを前記ライタから前記タグに書き込ませる手段と、納入時に前記タグに記録されている温湿度データを前記リーダに読み込ませて記憶装置から読み出した管理規定値と比較する手段とを有し、
前記店舗倉庫端末は、納入時間を前記リーダに前記タグから読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに前記センサが測定した温湿度と測定時間とを前記ライタから前記タグに書き込ませる手段と、出庫時に前記タグに記録されている温湿度データを前記リーダに読み込ませて記憶装置から読み出した管理規定値と比較する手段とを有し、
前記店舗売場端末は、出庫時間を前記リーダに前記タグから読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに前記センサが測定した温湿度と測定時間とを前記ライタから前記タグに書き込ませる手段とを有し、
前記ＰＯＳレジスタは、前記タグに記録されている温湿度データと測定時間とを読み込む手段と、読み込んだ温湿度データと測定時間とをレシートに印刷する手段とを有することを特徴とする流通配送管理システム。
【請求項５】
前記センサは定められた時間間隔で温湿度を測定することを特徴とする請求項１、２、３、または４記載の流通配送管理システム。
【請求項６】
前記タグはＲＦＩＤタグであることを特徴とする請求項１、２、３、４または５記載の流通配送管理システム。
【請求項７】
商品の製造時から販売時までの間に前記商品の保管場所の温湿度を定められた時間間隔で測定するステップと、測定した温湿度と測定時間とを前記商品に添付されたタグに書き込むステップと、前記商品の販売時に前記タグから温湿度データと測定時間とを読み取るステップと、読み取った温湿度データと測定時間とを表示するステップとを備えたことを特徴とする流通配送管理方法。
【請求項８】
商品の製造時から出荷時までの間に前記商品の保管場所の温湿度と測定時間とを前記商品に添付されたタグに書き込むステップと、出荷時に前記タグに記録されている温湿度データを読み込んで記憶装置から読み出した管理規定値と比較するステップと、
集荷時に出荷時間を前記タグから読み込んで集荷時間との差が一定時間以内であるかを判定するステップと、集荷時に前工程での温湿度データを前記タグから読み込んで記憶装置から読み出した管理規定値と比較するステップと、前記商品の集荷時から納入時までの間に前記商品の保管場所の温湿度と測定時間とを前記タグに書き込むステップと、納入時に前記タグに記録されている温湿度データを読み込んで記憶装置から読み出した管理規定値と比較するステップと、
受入時に納入時間を前記タグから読み込んで受入時間との差が一定時間以内であるかを判定するステップと、受入時に前工程での温湿度データを前記タグから読み込んで記憶装置から読み出した管理規定値と比較するステップと、前記商品の受入時から出庫時までの間に前記商品の保管場所の温湿度と測定時間とを前記タグに書き込むステップと、出庫時に前記タグに記録されている温湿度データを読み込んで記憶装置から読み出した管理規定値と比較するステップと、
陳列時に出庫時間を前記タグから読み込んで陳列時間との差が一定時間以内であるかを判定するステップと、陳列時に前工程での温湿度データを前記タグから読み込んで記憶装置から読み出した管理規定値と比較するステップと、前記商品の陳列時から販売時までの間に前記商品の保管場所の温湿度と測定時間とを前記タグに書き込むステップと、販売時に前記タグに記録されている温湿度データと測定時間とを読み込むステップと、読み込んだ温湿度データと測定時間とを表示部に表示するステップとを備えたことを特徴とする流通配送管理方法。
【請求項９】
商品の製造時から出荷時までの間に前記商品の保管場所の温湿度と測定時間とを前記商品に添付されたタグに書き込むステップと、出荷時に前記タグに記録されている温湿度データを読み込んで記憶装置から読み出した管理規定値と比較するステップと、
集荷時に出荷時間を前記タグから読み込んで集荷時間との差が一定時間以内であるかを判定するステップと、集荷時に前工程での温湿度データを前記タグから読み込んで記憶装置から読み出した管理規定値と比較するステップと、前記商品の集荷時から納入時までの間に前記商品の保管場所の温湿度と測定時間とを前記タグに書き込むステップと、納入時に前記タグに記録されている温湿度データを読み込んで記憶装置から読み出した管理規定値と比較するステップと、
受入時に納入時間を前記タグから読み込んで受入時間との差が一定時間以内であるかを判定するステップと、受入時に前工程での温湿度データを前記タグから読み込んで記憶装置から読み出した管理規定値と比較するステップと、前記商品の受入時から出庫時までの間に前記商品の保管場所の温湿度と測定時間とを前記タグに書き込むステップと、出庫時に前記タグに記録されている温湿度データを読み込んで記憶装置から読み出した管理規定値と比較するステップと、
陳列時に出庫時間を前記タグから読み込んで陳列時間との差が一定時間以内であるかを判定するステップと、陳列時に前工程での温湿度データを前記タグから読み込んで記憶装置から読み出した管理規定値と比較するステップと、前記商品の陳列時から販売時までの間に前記商品の保管場所の温湿度と測定時間とを前記タグに書き込むステップと、販売時に前記タグに記録されている温湿度データと測定時間とを携帯端末のリーダで読み込むステップと、読み込んだ温湿度データと測定時間とを携帯端末の表示部に表示するステップとを備えたことを特徴とする流通配送管理方法。
【請求項１０】
商品の製造時から出荷時までの間に前記商品の保管場所の温湿度と測定時間とを前記商品に添付されたタグに書き込むステップと、出荷時に前記タグに記録されている温湿度データを読み込んで記憶装置から読み出した管理規定値と比較するステップと、
集荷時に出荷時間を前記タグから読み込んで集荷時間との差が一定時間以内であるかを判定するステップと、集荷時に前工程での温湿度データを前記タグから読み込んで記憶装置から読み出した管理規定値と比較するステップと、前記商品の集荷時から納入時までの間に前記商品の保管場所の温湿度と測定時間とを前記タグに書き込むステップと、納入時に前記タグに記録されている温湿度データを読み込んで記憶装置から読み出した管理規定値と比較するステップと、
受入時に納入時間を前記タグから読み込んで受入時間との差が一定時間以内であるかを判定するステップと、受入時に前工程での温湿度データを前記タグから読み込んで記憶装置から読み出した管理規定値と比較するステップと、前記商品の受入時から出庫時までの間に前記商品の保管場所の温湿度と測定時間とを前記タグに書き込むステップと、出庫時に前記タグに記録されている温湿度データを読み込んで記憶装置から読み出した管理規定値と比較するステップと、
陳列時に出庫時間を前記タグから読み込んで陳列時間との差が一定時間以内であるかを判定するステップと、陳列時に前工程での温湿度データを前記タグから読み込んで記憶装置から読み出した管理規定値と比較するステップと、前記商品の陳列時から販売時までの間に前記商品の保管場所の温湿度と測定時間とを前記タグに書き込むステップと、販売時に前記タグに記録されている温湿度データと測定時間とをＰＯＳレジスタのリーダで読み込むステップと、読み込んだ温湿度データと測定時間とを印刷出力するステップとを備えたことを特徴とする流通配送管理方法。
【請求項１１】
商品の製造時から出荷時までに定められた時間間隔で測定した前記商品の保管場所の温湿度と測定時間とをライタから前記商品に添付されたタグに書き込ませる手段と、出荷時に前記タグに記録されている温湿度データをリーダに読み込ませて記憶装置から読み出した管理規定値と比較する手段と、読み込んだ温湿度データが前記管理規定値を外れていた場合は前記商品の出荷取りやめ指示を出力する手段とを備えたことを特徴とする製造業者端末。
【請求項１２】
商品の出荷時間を前記商品に添付されたタグからリーダに読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに測定した前記商品の保管場所の温湿度と測定時間とをライタから前記タグに書き込ませる手段と、納入時に前記タグに記録されている温湿度データをリーダに読み込ませて記憶装置から読み出した管理規定値と比較する手段と、読み込んだ温湿度データが前記管理規定値を外れていた場合は前記商品の納入取りやめ指示を出力する手段とを備えたことを特徴とする運送業者端末。
【請求項１３】
商品の納入時間を前記商品に添付されたタグからリーダに読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに測定した前記商品の保管場所の温湿度と測定時間とをライタから前記タグに書き込ませる手段と、出庫時に前記タグに記録されている温湿度データをリーダに読み込ませて記憶装置から読み出した管理規定値と比較する手段と、読み込んだ温湿度データが前記管理規定値を外れていた場合は前記商品の出庫取りやめ指示を出力する手段とを備えたことを特徴とする店舗倉庫端末。
【請求項１４】
商品の出庫時間を前記商品に添付されたタグからリーダに読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに測定した前記商品の保管場所の温湿度と測定時間とをライタから前記タグに書き込ませる手段と、販売時に前記タグに記録されている温湿度データと測定時間とをリーダに読み込ませて表示部に表示する手段とを備えたことを特徴とする店舗売場端末。
【請求項１５】
商品の出庫時間を前記商品に添付されたタグからリーダに読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに測定した前記商品の保管場所の温湿度と測定時間とをライタから前記タグに書き込ませる手段と、販売時に前記タグに記録されている温湿度データと測定時間とをリーダに読み込ませて印刷出力する手段とを備えたことを特徴とする店舗売場システム。
【請求項１６】
商品の製造時から出荷時までに定められた時間間隔で測定した前記商品の保管場所の温湿度と測定時間とをライタから前記商品に添付されたタグに書き込ませる処理と、出荷時に前記タグに記録されている温湿度データをリーダに読み込ませて記憶装置から読み出した管理規定値と比較する処理と、読み込んだ温湿度データが前記管理規定値を外れていた場合は前記商品の出荷取りやめ指示を出力する処理とをコンピュータに実行させるためのプログラム。
【請求項１７】
商品の出荷時間を前記商品に添付されたタグからリーダに読み込ませて集荷時間との差が一定時間以内であるかを判定する処理と、前工程での温湿度データを前記リーダに前記タグから読み込ませて記憶装置から読み出した管理規定値と比較する処理と、前記商品の集荷時から納入時までに測定した前記商品の保管場所の温湿度と測定時間とをライタから前記タグに書き込ませる処理と、納入時に前記タグに記録されている温湿度データをリーダに読み込ませて記憶装置から読み出した管理規定値と比較する処理と、読み込んだ温湿度データが前記管理規定値を外れていた場合は前記商品の納入取りやめ指示を出力する処理とをコンピュータに実行させるためのプログラム。
【請求項１８】
商品の納入時間を前記商品に添付されたタグからリーダに読み込ませて受入時間との差が一定時間以内であるかを判定する処理と、前工程での温湿度データを前記リーダに前記タグから読み込ませて記憶装置から読み出した管理規定値と比較する処理と、前記商品の受入時から出庫時までに測定した前記商品の保管場所の温湿度と測定時間とをライタから前記タグに書き込ませる処理と、出庫時に前記タグに記録されている温湿度データをリーダに読み込ませて記憶装置から読み出した管理規定値と比較する処理と、読み込んだ温湿度データが前記管理規定値を外れていた場合は前記商品の出庫取りやめ指示を出力する処理とをコンピュータに実行させるためのプログラム。
【請求項１９】
商品の出庫時間を前記商品に添付されたタグからリーダに読み込ませて陳列時間との差が一定時間以内であるかを判定する処理と、前工程での温湿度データを前記リーダに前記タグから読み込ませて記憶装置から読み出した管理規定値と比較する処理と、前記商品の陳列時から販売時までに測定した前記商品の保管場所の温湿度と測定時間とをライタから前記タグに書き込ませる処理と、販売時に前記タグに記録されている温湿度データと測定時間とをリーダに読み込ませて表示部に表示する処理とをコンピュータに実行させるためのプログラム。
【請求項２０】
商品の出庫時間を前記商品に添付されたタグからリーダに読み込ませて陳列時間との差が一定時間以内であるかを判定する処理と、前工程での温湿度データを前記リーダに前記タグから読み込ませて記憶装置から読み出した管理規定値と比較する処理と、前記商品の陳列時から販売時までに測定した前記商品の保管場所の温湿度と測定時間とをライタから前記タグに書き込ませる処理と、販売時に前記タグに記録されている温湿度データと測定時間とをリーダに読み込ませて印刷出力する処理とをコンピュータに実行させるためのプログラム。
【発明の詳細な説明】
【技術分野】
【０００１】
本発明は流通配送管理システム、流通配送管理方法およびプログラムに関し、特に、商品の製造から販売までの流通過程で温度や湿度の管理を行う流通配送管理システム、流通配送管理方法およびプログラムに関する。
【背景技術】
【０００２】
一部の食品、たとえば果実酒や乳性飲料等の飲料類は、温度や湿度の変化により味覚が変化する。従って、これらの食品については流通配送段階で正しい環境下に置かれたかを管理する必要がある。
【０００３】
従来の流通配送管理システムが、特許文献１に開示されている。特許文献１に開示されたシステムは、店舗に設けられた機器と、店舗に配線された信号線と、この信号線に接続されたコントローラと、信号線に接続される温度センサと、信号線に接続されて機器の運転を制御するＩ／Ｏセンサユニットと、信号線に接続されたボタンリーダと、配送中の商品近傍に投入される温度メモリとを備えている。
【０００４】
【特許文献１】特開２００１−９９５３９号公報（第３−４頁、図１）
【発明の開示】
【発明が解決しようとする課題】
【０００５】
上述した従来の技術では、最終販売する業者までしか温度の状態の良否がわからない。従って、購入する商品が正しい温度下にて管理されて販売されているかを購入者が知ることができないという問題点がある。
【０００６】
また、従来の技術では湿度の管理は行われていないため、湿度の影響を受けやすい果実酒等の環境管理が不十分であるという問題点がある。
【０００７】
本発明の目的は、製造、配送、販売の段階で商品が置かれた温湿度環境を、購入者が容易に把握できる流通配送管理システムを提供することにある。
【課題を解決するための手段】
【０００８】
本発明の流通配送管理システムは、商品に添付されデータを記録されるタグと、前記タグへデータの書き込みを行うリーダと、前記タグからデータの読み取りを行うライタと、前記商品の保管場所の温湿度を測定するセンサと、前記商品の製造時から販売時までの間に前記センサが測定した温湿度データと測定時間とを前記ライタから前記タグへ書き込ませる手段と、前記タグに書き込まれた前記温湿度データと前記測定時間とを前記リーダに読み込ませて表示部に表示させる手段とを備えたことを特徴とする。
【０００９】
本発明の流通配送管理システムは、商品に添付されデータを記録されるタグと、前記タグへデータの書き込みを行うリーダと、前記タグからデータの読み取りを行うライタと、前記商品の保管場所の温湿度を測定するセンサと、製造業者端末と、運送業者端末と、店舗倉庫端末と、店舗売場端末とを備え、
前記製造業者端末は、前記商品の製造時から出荷時までに前記センサが測定した温湿度と測定時間とを前記ライタから前記タグに書き込ませる手段と、出荷時に前記タグに記録されている温湿度データを前記リーダに読み込ませて記憶装置から読み出した管理規定値と比較する手段とを有し、
前記運送業者端末は、出荷時間を前記リーダに前記タグから読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに前記センサが測定した温湿度と測定時間とを前記ライタから前記タグに書き込ませる手段と、納入時に前記タグに記録されている温湿度データを前記リーダに読み込ませて記憶装置から読み出した管理規定値と比較する手段とを有し、
前記店舗倉庫端末は、納入時間を前記リーダに前記タグから読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに前記センサが測定した温湿度と測定時間とを前記ライタから前記タグに書き込ませる手段と、出庫時に前記タグに記録されている温湿度データを前記リーダに読み込ませて記憶装置から読み出した管理規定値と比較する手段とを有し、
前記店舗売場端末は、出庫時間を前記リーダに前記タグから読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに前記センサが測定した温湿度と測定時間とを前記ライタから前記タグに書き込ませる手段と、前記タグに記録されている温湿度データを前記リーダに読み込ませて表示部に表示する手段とを有することを特徴としてもよい。
【００１０】
本発明の流通配送管理システムは、商品に添付されデータを記録されるタグと、前記タグへデータの書き込みを行うリーダと、前記タグからデータの読み取りを行うライタと、前記商品の保管場所の温湿度を測定するセンサと、製造業者端末と、運送業者端末と、店舗倉庫端末と、店舗売場端末と、携帯端末とを備え、
前記製造業者端末は、前記商品の製造時から出荷時までに前記センサが測定した温湿度と測定時間とを前記ライタから前記タグに書き込ませる手段と、出荷時に前記タグに記録されている温湿度データを前記リーダに読み込ませて記憶装置から読み出した管理規定値と比較する手段とを有し、
前記運送業者端末は、出荷時間を前記リーダに前記タグから読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに前記センサが測定した温湿度と測定時間とを前記ライタから前記タグに書き込ませる手段と、納入時に前記タグに記録されている温湿度データを前記リーダに読み込ませて記憶装置から読み出した管理規定値と比較する手段とを有し、
前記店舗倉庫端末は、納入時間を前記リーダに前記タグから読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに前記センサが測定した温湿度と測定時間とを前記ライタから前記タグに書き込ませる手段と、出庫時に前記タグに記録されている温湿度データを前記リーダに読み込ませて記憶装置から読み出した管理規定値と比較する手段とを有し、
前記店舗売場端末は、出庫時間を前記リーダに前記タグから読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに前記センサが測定した温湿度と測定時間とを前記ライタから前記タグに書き込ませる手段とを有し、
前記携帯端末は、前記タグに記録されている温湿度データと測定時間とを読み込む手段と、読み込んだ温湿度データと測定時間とを表示する手段とを有することを特徴としてもよい。
【００１１】
本発明の流通配送管理システムは、商品に添付されデータを記録されるタグと、前記タグへデータの書き込みを行うリーダと、前記タグからデータの読み取りを行うライタと、前記商品の保管場所の温湿度を測定するセンサと、製造業者端末と、運送業者端末と、店舗倉庫端末と、店舗売場端末と、ＰＯＳレジスタとを備え、
前記製造業者端末は、前記商品の製造時から出荷時までに前記センサが測定した温湿度と測定時間とを前記ライタから前記タグに書き込ませる手段と、出荷時に前記タグに記録されている温湿度データを前記リーダに読み込ませて記憶装置から読み出した管理規定値と比較する手段とを有し、
前記運送業者端末は、出荷時間を前記リーダに前記タグから読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに前記センサが測定した温湿度と測定時間とを前記ライタから前記タグに書き込ませる手段と、納入時に前記タグに記録されている温湿度データを前記リーダに読み込ませて記憶装置から読み出した管理規定値と比較する手段とを有し、
前記店舗倉庫端末は、納入時間を前記リーダに前記タグから読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに前記センサが測定した温湿度と測定時間とを前記ライタから前記タグに書き込ませる手段と、出庫時に前記タグに記録されている温湿度データを前記リーダに読み込ませて記憶装置から読み出した管理規定値と比較する手段とを有し、
前記店舗売場端末は、出庫時間を前記リーダに前記タグから読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに前記センサが測定した温湿度と測定時間とを前記ライタから前記タグに書き込ませる手段とを有し、
前記ＰＯＳレジスタは、前記タグに記録されている温湿度データと測定時間とを読み込む手段と、読み込んだ温湿度データと測定時間とをレシートに印刷する手段とを有することを特徴としてもよい。
【００１２】
本発明の流通配送管理システムは、前記センサは定められた時間間隔で温湿度を測定することを特徴としてもよい。
【００１３】
本発明の流通配送管理システムは、前記タグはＲＦＩＤタグであることを特徴としてもよい。
【００１４】
本発明の流通配送管理方法は、商品の製造時から販売時までの間に前記商品の保管場所の温湿度を定められた時間間隔で測定するステップと、測定した温湿度と測定時間とを前記商品に添付されたタグに書き込むステップと、前記商品の販売時に前記タグから温湿度データと測定時間とを読み取るステップと、読み取った温湿度データと測定時間とを表示するステップとを備えたことを特徴とする。
【００１５】
本発明の流通配送管理方法は、商品の製造時から出荷時までの間に前記商品の保管場所の温湿度と測定時間とを前記商品に添付されたタグに書き込むステップと、出荷時に前記タグに記録されている温湿度データを読み込んで記憶装置から読み出した管理規定値と比較するステップと、
集荷時に出荷時間を前記タグから読み込んで集荷時間との差が一定時間以内であるかを判定するステップと、集荷時に前工程での温湿度データを前記タグから読み込んで記憶装置から読み出した管理規定値と比較するステップと、前記商品の集荷時から納入時までの間に前記商品の保管場所の温湿度と測定時間とを前記タグに書き込むステップと、納入時に前記タグに記録されている温湿度データを読み込んで記憶装置から読み出した管理規定値と比較するステップと、
受入時に納入時間を前記タグから読み込んで受入時間との差が一定時間以内であるかを判定するステップと、受入時に前工程での温湿度データを前記タグから読み込んで記憶装置から読み出した管理規定値と比較するステップと、前記商品の受入時から出庫時までの間に前記商品の保管場所の温湿度と測定時間とを前記タグに書き込むステップと、出庫時に前記タグに記録されている温湿度データを読み込んで記憶装置から読み出した管理規定値と比較するステップと、
陳列時に出庫時間を前記タグから読み込んで陳列時間との差が一定時間以内であるかを判定するステップと、陳列時に前工程での温湿度データを前記タグから読み込んで記憶装置から読み出した管理規定値と比較するステップと、前記商品の陳列時から販売時までの間に前記商品の保管場所の温湿度と測定時間とを前記タグに書き込むステップと、販売時に前記タグに記録されている温湿度データと測定時間とを読み込むステップと、読み込んだ温湿度データと測定時間とを表示部に表示するステップとを備えたことを特徴としてもよい。
【００１６】
本発明の流通配送管理方法は、商品の製造時から出荷時までの間に前記商品の保管場所の温湿度と測定時間とを前記商品に添付されたタグに書き込むステップと、出荷時に前記タグに記録されている温湿度データを読み込んで記憶装置から読み出した管理規定値と比較するステップと、
集荷時に出荷時間を前記タグから読み込んで集荷時間との差が一定時間以内であるかを判定するステップと、集荷時に前工程での温湿度データを前記タグから読み込んで記憶装置から読み出した管理規定値と比較するステップと、前記商品の集荷時から納入時までの間に前記商品の保管場所の温湿度と測定時間とを前記タグに書き込むステップと、納入時に前記タグに記録されている温湿度データを読み込んで記憶装置から読み出した管理規定値と比較するステップと、
受入時に納入時間を前記タグから読み込んで受入時間との差が一定時間以内であるかを判定するステップと、受入時に前工程での温湿度データを前記タグから読み込んで記憶装置から読み出した管理規定値と比較するステップと、前記商品の受入時から出庫時までの間に前記商品の保管場所の温湿度と測定時間とを前記タグに書き込むステップと、出庫時に前記タグに記録されている温湿度データを読み込んで記憶装置から読み出した管理規定値と比較するステップと、
陳列時に出庫時間を前記タグから読み込んで陳列時間との差が一定時間以内であるかを判定するステップと、陳列時に前工程での温湿度データを前記タグから読み込んで記憶装置から読み出した管理規定値と比較するステップと、前記商品の陳列時から販売時までの間に前記商品の保管場所の温湿度と測定時間とを前記タグに書き込むステップと、販売時に前記タグに記録されている温湿度データと測定時間とを携帯端末のリーダで読み込むステップと、読み込んだ温湿度データと測定時間とを携帯端末の表示部に表示するステップとを備えたことを特徴としてもよい。
【００１７】
本発明の流通配送管理方法は、商品の製造時から出荷時までの間に前記商品の保管場所の温湿度と測定時間とを前記商品に添付されたタグに書き込むステップと、出荷時に前記タグに記録されている温湿度データを読み込んで記憶装置から読み出した管理規定値と比較するステップと、
集荷時に出荷時間を前記タグから読み込んで集荷時間との差が一定時間以内であるかを判定するステップと、集荷時に前工程での温湿度データを前記タグから読み込んで記憶装置から読み出した管理規定値と比較するステップと、前記商品の集荷時から納入時までの間に前記商品の保管場所の温湿度と測定時間とを前記タグに書き込むステップと、納入時に前記タグに記録されている温湿度データを読み込んで記憶装置から読み出した管理規定値と比較するステップと、
受入時に納入時間を前記タグから読み込んで受入時間との差が一定時間以内であるかを判定するステップと、受入時に前工程での温湿度データを前記タグから読み込んで記憶装置から読み出した管理規定値と比較するステップと、前記商品の受入時から出庫時までの間に前記商品の保管場所の温湿度と測定時間とを前記タグに書き込むステップと、出庫時に前記タグに記録されている温湿度データを読み込んで記憶装置から読み出した管理規定値と比較するステップと、
陳列時に出庫時間を前記タグから読み込んで陳列時間との差が一定時間以内であるかを判定するステップと、陳列時に前工程での温湿度データを前記タグから読み込んで記憶装置から読み出した管理規定値と比較するステップと、前記商品の陳列時から販売時までの間に前記商品の保管場所の温湿度と測定時間とを前記タグに書き込むステップと、販売時に前記タグに記録されている温湿度データと測定時間とをＰＯＳレジスタのリーダで読み込むステップと、読み込んだ温湿度データと測定時間とを印刷出力するステップとを備えたことを特徴としてもよい。
【００１８】
本発明の製造業者端末は、商品の製造時から出荷時までに定められた時間間隔で測定した前記商品の保管場所の温湿度と測定時間とをライタから前記商品に添付されたタグに書き込ませる手段と、出荷時に前記タグに記録されている温湿度データをリーダに読み込ませて記憶装置から読み出した管理規定値と比較する手段と、読み込んだ温湿度データが前記管理規定値を外れていた場合は前記商品の出荷取りやめ指示を出力する手段とを備えたことを特徴とする。
【００１９】
本発明の運送業者端末は、商品の出荷時間を前記商品に添付されたタグからリーダに読み込ませて集荷時間との差が一定時間以内であるかを判定する手段と、前工程での温湿度データを前記リーダに前記タグから読み込ませて記憶装置から読み出した管理規定値と比較する手段と、前記商品の集荷時から納入時までに測定した前記商品の保管場所の温湿度と測定時間とをライタから前記タグに書き込ませる手段と、納入時に前記タグに記録されている温湿度データをリーダに読み込ませて記憶装置から読み出した管理規定値と比較する手段と、読み込んだ温湿度データが前記管理規定値を外れていた場合は前記商品の納入取りやめ指示を出力する手段とを備えたことを特徴とする。
【００２０】
本発明の店舗倉庫端末は、商品の納入時間を前記商品に添付されたタグからリーダに読み込ませて受入時間との差が一定時間以内であるかを判定する手段と、前工程での温湿度データを前記リーダに前記タグから読み込ませて記憶装置から読み出した管理規定値と比較する手段と、前記商品の受入時から出庫時までに測定した前記商品の保管場所の温湿度と測定時間とをライタから前記タグに書き込ませる手段と、出庫時に前記タグに記録されている温湿度データをリーダに読み込ませて記憶装置から読み出した管理規定値と比較する手段と、読み込んだ温湿度データが前記管理規定値を外れていた場合は前記商品の出庫取りやめ指示を出力する手段とを備えたことを特徴とする。
【００２１】
本発明の店舗売場端末は、商品の出庫時間を前記商品に添付されたタグからリーダに読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに測定した前記商品の保管場所の温湿度と測定時間とをライタから前記タグに書き込ませる手段と、販売時に前記タグに記録されている温湿度データと測定時間とをリーダに読み込ませて表示部に表示する手段とを備えたことを特徴とする。
【００２２】
本発明の店舗売場システムは、商品の出庫時間を前記商品に添付されたタグからリーダに読み込ませて陳列時間との差が一定時間以内であるかを判定する手段と、前工程での温湿度データを前記リーダに前記タグから読み込ませて記憶装置から読み出した管理規定値と比較する手段と、前記商品の陳列時から販売時までに測定した前記商品の保管場所の温湿度と測定時間とをライタから前記タグに書き込ませる手段と、販売時に前記タグに記録されている温湿度データと測定時間とをリーダに読み込ませて印刷出力する手段とを備えたことを特徴とする。
【００２３】
本発明のプログラムは、商品の製造時から出荷時までに定められた時間間隔で測定した前記商品の保管場所の温湿度と測定時間とをライタから前記商品に添付されたタグに書き込ませる処理と、出荷時に前記タグに記録されている温湿度データをリーダに読み込ませて記憶装置から読み出した管理規定値と比較する処理と、読み込んだ温湿度データが前記管理規定値を外れていた場合は前記商品の出荷取りやめ指示を出力する処理とをコンピュータに実行させる。
【００２４】
本発明のプログラムは、商品の出荷時間を前記商品に添付されたタグからリーダに読み込ませて集荷時間との差が一定時間以内であるかを判定する処理と、前工程での温湿度データを前記リーダに前記タグから読み込ませて記憶装置から読み出した管理規定値と比較する処理と、前記商品の集荷時から納入時までに測定した前記商品の保管場所の温湿度と測定時間とをライタから前記タグに書き込ませる処理と、納入時に前記タグに記録されている温湿度データをリーダに読み込ませて記憶装置から読み出した管理規定値と比較する処理と、読み込んだ温湿度データが前記管理規定値を外れていた場合は前記商品の納入取りやめ指示を出力する処理とをコンピュータに実行させるようにしてもよい。
【００２５】
本発明のプログラムは、商品の納入時間を前記商品に添付されたタグからリーダに読み込ませて受入時間との差が一定時間以内であるかを判定する処理と、前工程での温湿度データを前記リーダに前記タグから読み込ませて記憶装置から読み出した管理規定値と比較する処理と、前記商品の受入時から出庫時までに測定した前記商品の保管場所の温湿度と測定時間とをライタから前記タグに書き込ませる処理と、出庫時に前記タグに記録されている温湿度データをリーダに読み込ませて記憶装置から読み出した管理規定値と比較する処理と、読み込んだ温湿度データが前記管理規定値を外れていた場合は前記商品の出庫取りやめ指示を出力する処理とをコンピュータに実行させるようにしてもよい。
【００２６】
本発明のプログラムは、商品の出庫時間を前記商品に添付されたタグからリーダに読み込ませて陳列時間との差が一定時間以内であるかを判定する処理と、前工程での温湿度データを前記リーダに前記タグから読み込ませて記憶装置から読み出した管理規定値と比較する処理と、前記商品の陳列時から販売時までに測定した前記商品の保管場所の温湿度と測定時間とをライタから前記タグに書き込ませる処理と、販売時に前記タグに記録されている温湿度データと測定時間とをリーダに読み込ませて表示部に表示する処理とをコンピュータに実行させるようにしてもよい。
【００２７】
本発明のプログラムは、商品の出庫時間を前記商品に添付されたタグからリーダに読み込ませて陳列時間との差が一定時間以内であるかを判定する処理と、前工程での温湿度データを前記リーダに前記タグから読み込ませて記憶装置から読み出した管理規定値と比較する処理と、前記商品の陳列時から販売時までに測定した前記商品の保管場所の温湿度と測定時間とをライタから前記タグに書き込ませる処理と、販売時に前記タグに記録されている温湿度データと測定時間とをリーダに読み込ませて印刷出力する処理とをコンピュータに実行させるようにしてもよい。
【発明の効果】
【００２８】
本発明により、製造・流通・販売の各流通ルートにて商品を保管している場所の温湿度が記録されるため、購入者はその商品の環境管理が把握でき信頼性の高い商品を購入することができる。
【００２９】
また、購入者は、環境管理が守られていない商品を知ることができるため、そのような商品については販売者への値段交渉等も可能となる。
【００３０】
流通、販売業者は、どの流通経路で温湿度の数値が管理規定値以外となったかを把握することができるため、管理規定値以外の商品を入手した場合の対応を即座に実施することができる。
【発明を実施するための最良の形態】
【００３１】
本発明を実施するための最良の形態について図面を参照して詳細に説明する。管理対象とする商品として果実酒を例にとって説明する。
【００３２】
図１は本発明の第１の実施の形態の構成を示すブロック図である。製造業者１は果実酒１１０を製造する業者である。製造業者１は製造業者端末１０と温湿度センサ１５とＲＦＩＤ（Radio Frequency Identification）リーダ・ライタ１６を有する。製造業者１は果実酒１１０を製造するとその果実酒１本１本のラベルにＲＦＩＤタグ１２０を添付する。このタグはデータを記録できるものであればＲＦＩＤタグでなくてもよいが、ＲＦＩＤタグを使用すると簡単で安価にシステムを構築できる。ＲＦＩＤリーダ・ライタ１６のリーダ機能とライタ機能は、一体ではなく別の装置に分離されていてもよい。
【００３３】
製造業者端末１０はパーソナルコンピュータ等の情報処理装置である。製造業者端末１０は、内部または外部に、データを入力するためのマウスやキーボード等の入力部１１と、データを表示するためのＬＣＤ（liquid crystal device）等の表示部１２と、データを一時記憶するための記憶装置１３とを有する。温湿度センサ１５は、製造業者１が果実酒を製造後に保管する倉庫の温度と湿度とを検出する。
【００３４】
製造業者端末１０は、製造後、製造業者社名、製造時間、製造時の温湿度情報を最初にＲＦＩＤリーダ・ライタ１６を使用してＲＦＩＤタグ１２０に記録する。ここで、製造時間とは製造後に倉庫に入庫する時間のことである。
【００３５】
また、果実酒を出荷するまで倉庫に保管する間、製造業者端末１０は、温湿度センサ１５にて温湿度の数値をＮ時間毎に監視、入手し、製造業者社名、測定時間、温度、湿度をＲＦＩＤタグ１２０に記録する。Ｎ時間とはその商品の最適な監視時間として設定される時間であり、商品により異なる。
【００３６】
出庫時には、製造業者端末１０は、製造業者社名、出庫時間、出庫時の温湿度情報をＲＦＩＤタグ１２０に記録する。出庫時にＲＦＩＤタグ１２０に記録されている温湿度の状態が管理規定値以外の場合は、製造業者１は出庫を取りやめるかＲＦＩＤタグ１２０のコメント情報へ記録する。管理規定値はあらかじめ記憶装置１３に格納しておく。
【００３７】
温湿度の最適条件の例として、ワインでは温度１４℃（±２℃）、湿度６５％以上を保つことが好ましい。
【００３８】
運送業者２は果実酒１１０を製造業者１の倉庫から店舗倉庫３までトラックで配送する業者である。運送業者２はトラック端末２０と温湿度センサ２５とＲＦＩＤリーダ・ライタ２６を有する。
【００３９】
トラック端末２０はトラックに設置された情報処理装置であり、たとえば、運転手が使用する携帯端末である。トラック端末２０は、内部または外部に、データを入力するための入力部２１と、データを表示するためのＬＣＤ等の表示部２２と、データを一時記憶するための記憶装置（図示せず）とを有する。温湿度センサ２５はトラックの荷室の温度と湿度とを検出する。
【００４０】
トラック端末２０は、果実酒１１０を集荷後、運送業者社名、集荷時間、集荷時の温湿度情報を最初にＲＦＩＤリーダ・ライタ２６を使用してＲＦＩＤタグ１２０に記録する。トラック端末２０は、前工程にて出荷された時間と今回集荷した時間の差を計算しＭ時間以上ある場合は、前工程に返却する指示を出力するか、あるいはＲＦＩＤタグ１２０のコメント情報へ記録する。Ｍ時間は、業者間にて業務上規定される時間を設定する。
【００４１】
また、トラック端末２０は、集荷時にＲＦＩＤタグ１２０に前工程で管理規定値以外の温湿度の数値が記録されている場合は、前工程に返却する指示を出力するか、あるいはＲＦＩＤタグ１２０のコメント情報へ記録する。管理規定値はあらかじめ記憶装置に格納しておく。
【００４２】
トラック端末２０は、果実酒１１０を納品するまで荷室に保管する間、温湿度センサ２５で温湿度の数値をＮ時間毎に監視、入手し、ＲＦＩＤタグ１２０に記録する。
【００４３】
納品時には、トラック端末２０は、運送業者社名、納品時間、納品時の温湿度情報をＲＦＩＤタグ１２０に記録する。納品時にＲＦＩＤタグ１２０に記録されている温湿度の状態が管理規定値以外の場合は、運送業者２は納品を取りやめるかＲＦＩＤのコメント情報へ記録する。
【００４４】
店舗倉庫３は果実酒１１０を販売する店舗の倉庫であり、果実酒１１０を店舗に陳列するまでの間、保管する。店舗倉庫３は店舗倉庫端末３０と温湿度センサ３５とＲＦＩＤリーダ・ライタ３６を有する。
【００４５】
店舗倉庫端末３０はパーソナルコンピュータ等の情報処理装置である。店舗倉庫端末３０は、内部または外部に、データを入力するためのマウスやキーボード等の入力部３１と、データを表示するためのＬＣＤ等の表示部３２と、データを一時記憶するための記憶装置３３とを有する。温湿度センサ３５は、店舗倉庫３の温度と湿度とを検出する。
【００４６】
店舗倉庫端末３０は、果実酒１１０を受入後、店舗名、受入時間、受入時の温湿度情報を最初にＲＦＩＤリーダ・ライタ３６を使用してＲＦＩＤタグ１２０に記録する。受入時間とは店舗倉庫３が果実酒１１０の管理を始める時間のことである。店舗倉庫端末３０は、前工程にて納品された時間と今回受入した時間の差を計算しＭ時間以上ある場合は、前工程に返却する指示を出力するか、あるいはＲＦＩＤタグ１２０のコメント情報へ記録する。
【００４７】
また、店舗倉庫端末３０は、受入時にＲＦＩＤタグ１２０に前工程で管理規定値以外の温湿度の数値が記録されている場合は、前工程に返却する指示を出力するか、あるいはＲＦＩＤタグ１２０のコメント情報へ記録する。管理規定値はあらかじめ記憶装置３３に格納しておく。
【００４８】
店舗倉庫端末３０は、果実酒１１０を出庫するまでの間、温湿度センサ３５で温湿度の数値をＮ時間毎に監視、入手し、ＲＦＩＤタグ１２０に記録する。
【００４９】
出庫時には、店舗倉庫端末３０は、店舗名、出庫時間、出庫時の温湿度情報をＲＦＩＤタグ１２０に記録する。出庫時にＲＦＩＤタグ１２０に記録されている温湿度の状態が管理規定値以外の場合は、店舗倉庫３は出庫を取りやめるかＲＦＩＤのコメント情報へ記録する。
【００５０】
店舗売場４は果実酒１１０を販売する店舗の売場であり、果実酒１１０を購入者に販売するまでの間、保管する。店舗売場４は店舗売場端末４０と温湿度センサ４５とＲＦＩＤリーダ・ライタ４６と表示装置４７を有する。店舗売場端末４０は店舗倉庫端末３０と共用であってもよい。
【００５１】
店舗売場端末４０はパーソナルコンピュータ等の情報処理装置である。店舗売場端末４０は、内部または外部に、データを入力するためのマウスやキーボード等の入力部４１と、データを表示するためのＬＣＤ（liquid crystal device）等の表示部４２と、データを一時記憶するための記憶装置４３とを有する。温湿度センサ４５は、店舗売場４の果実酒１１０陳列場所の温度と湿度とを検出する。表示装置４７は、ＲＦＩＤリーダ・ライタ４６がＲＦＩＤタグから読み込んだデータを表示する。
【００５２】
店舗売場端末４０は、果実酒１１０を陳列後、売場名、陳列時間、陳列時の温湿度情報を最初にＲＦＩＤリーダ・ライタ４６を使用してＲＦＩＤタグ１２０に記録する。店舗売場端末４０は、前工程にて出庫された時間と今回陳列した時間の差を計算しＭ時間以上ある場合は、前工程に返却する指示を出力するか、あるいはＲＦＩＤタグ１２０のコメント情報へ記録する。
【００５３】
また、店舗売場端末４０は、陳列時にＲＦＩＤタグ１２０に前工程で管理規定値以外の温湿度の数値が記録されている場合は、前工程に返却する指示を出力するか、あるいはＲＦＩＤタグ１２０のコメント情報へ記録する。管理規定値はあらかじめ記憶装置４３に格納しておく。
【００５４】
店舗売場端末４０は、果実酒１１０を販売するまでの間、温湿度センサ４５で温湿度の数値をＮ時間毎に監視、入手し、ＲＦＩＤタグ１２０に記録する。
【００５５】
次に、第１の実施の形態の動作を説明する。製造業者１は、果実酒を製造後、果実酒を格納する倉庫の温湿度を温湿度センサ１５を用いて計測し、ＬＡＮ（Local Area Network）の規格であるＩＥＥＥ８０２．３、ＩＥＥＥ８０２．１１を使用し入庫時、Ｎ時間毎、出庫時に温湿度の数値をＲＦＩＤリーダ・ライタ１６へ送信する。これらの制御は製造業者端末１０が行う。図２は製造業者端末１０の動作を示すフローチャートである。
【００５６】
製造業者端末１０は製造時データをＲＦＩＤリーダ・ライタ１６へ送信しＲＦＩＤタグ１２０への書き込み指示を行う。ＲＦＩＤリーダ・ライタ１６は製造業者端末１０から送信された製造時データをＲＦＩＤタグ１２０へ書き込む（ステップＡ１）。製造時データには、入庫時の温湿度センサ１５の計測値に加えて、製造業者社名、入庫時間やコメント情報が含まれる。
【００５７】
果実酒が倉庫に保管されている間、製造業者端末１０はＮ時間毎に温湿度センサ１５から温湿度の計測値を入手する（ステップＡ２）。
【００５８】
製造業者端末１０は、入手した温湿度データと測定時間をＲＦＩＤリーダ・ライタ１６へ送信しＲＦＩＤタグ１２０への書き込み指示を行う。ＲＦＩＤリーダ・ライタ１６は送信された温湿度データと測定時間をＲＦＩＤタグ１２０へ書き込む（ステップＡ３）。
【００５９】
製造業者１が果実酒を出荷するときは、製造業者端末１０はＲＦＩＤリーダ・ライタ１６に対してＲＦＩＤタグ１２０に書き込まれている温湿度データを読み取るよう指示する。ＲＦＩＤリーダ・ライタ１６はＲＦＩＤタグ１２０に書き込まれている温湿度データを読み取って製造業者端末１０に送信する（ステップＡ４）。
【００６０】
製造業者端末１０は記憶装置１３に格納されている管理規定値を読み出し、ＲＦＩＤリーダ・ライタ１６から送信された温湿度データと比較する（ステップＡ５）。温湿度データが管理規定値を外れていた場合は製造業者端末１０は果実酒の出荷取りやめ指示を行う（ステップＡ６）。
【００６１】
温湿度データが管理規定値以内であった場合は、製造業者端末１０は出荷時データをＲＦＩＤリーダ・ライタ１６へ送信しＲＦＩＤタグ１２０への書き込み指示を行う。ＲＦＩＤリーダ・ライタ１６は送信された出荷時データをＲＦＩＤタグ１２０へ書き込む。（ステップＡ７）。製造業者端末１０はさらに、果実酒の出荷指示を行う（ステップＡ８）。出荷時データは、出荷時の温湿度データに加えて、出荷時間やコメント情報が含まれる。
【００６２】
ステップＡ５で、温湿度データが管理規定値を外れていても、たとえば、あらかじめ定めた出荷許容値以内であれば、コメント情報にその旨を付して出荷するようにしてもよい。図６は製造業者１がＲＦＩＤタグ１２０に書き込むデータの一例を示す図である。
【００６３】
出荷指示のあった果実酒は、製造業者１から運送業者２に引き渡される。図３はトラック端末２０の動作を示すフローチャートである。
【００６４】
トラック端末２０は集荷時データをＲＦＩＤリーダ・ライタ２６へ送信しＲＦＩＤタグ１２０への書き込み指示を行う。ＲＦＩＤリーダ・ライタ２６はトラック端末２０から送信された集荷時データをＲＦＩＤタグ１２０へ書き込む（ステップＢ１）。集荷時データには、集荷時の温湿度センサ２５の計測値に加えて、運送業者社名、集荷時間やコメント情報が含まれる。
【００６５】
トラック端末２０は製造業者１の出荷時間をＲＦＩＤタグ１２０からＲＦＩＤリーダ・ライタ２６に読み取らせて集荷時間との差を求める。トラック端末２０は出荷時間と集荷時間との差を記憶装置に格納されている制限時間（Ｍ時間）と比較する（ステップＢ２）。この差が制限時間を超えている場合は、トラック端末２０は製造業者１への返却指示を出力する（ステップＢ３）。この場合、運送業者２は果実酒を製造業者１に返却する。あるいはコメント情報としてＲＦＩＤタグ１２０に記録して、返却することなく先のステップに進むようにしてもよい。
【００６６】
さらに、トラック端末２０は前工程での温湿度データをＲＦＩＤタグ１２０からＲＦＩＤリーダ・ライタ２６に読み取らせる。前工程での温湿度データとは、製造業者１が記録した温湿度データである。トラック端末２０は前工程での温湿度データを記憶装置に格納されている管理規定値と比較する（ステップＢ４）。前工程での温湿度データが管理規定値から外れている場合は、トラック端末２０は製造業者１への返却指示を出力する（ステップＢ５）。この場合、運送業者２は果実酒を製造業者１に返却する。あるいはコメント情報としてＲＦＩＤタグ１２０に記録して、返却することなく先のステップに進むようにしてもよい。
【００６７】
果実酒がトラックに積まれている間、トラック端末２０はＮ時間毎に温湿度センサ２５から温湿度の計測値を入手する（ステップＢ６）。
【００６８】
トラック端末２０は、入手した温湿度データと測定時間をＲＦＩＤリーダ・ライタ２６へ送信しＲＦＩＤタグ１２０への書き込み指示を行う。ＲＦＩＤリーダ・ライタ２６は送信された温湿度データと測定時間をＲＦＩＤタグ１２０へ書き込む（ステップＢ７）。
【００６９】
運送業者２が果実酒を店舗倉庫３に配送、納入するときは、トラック端末２０はＲＦＩＤリーダ・ライタ２６に対してＲＦＩＤタグ１２０に書き込まれている温湿度データを読み取るよう指示する。ＲＦＩＤリーダ・ライタ２６はＲＦＩＤタグ１２０に書き込まれている温湿度データを読み取ってトラック端末２０に送信する（ステップＢ８）。
【００７０】
トラック端末２０は記憶装置に格納されている管理規定値を読み出し、ＲＦＩＤリーダ・ライタ２６から送信された温湿度データと比較する（ステップＢ９）。温湿度データが管理規定値を外れていた場合はトラック端末２０は果実酒の納入取りやめ指示を行う（ステップＢ１０）。
【００７１】
温湿度データが管理規定値以内であった場合は、トラック端末２０は納入時データをＲＦＩＤリーダ・ライタ２６へ送信しＲＦＩＤタグ１２０への書き込み指示を行う。ＲＦＩＤリーダ・ライタ２６は送信された納入時データをＲＦＩＤタグ１２０へ書き込む。（ステップＢ１１）。トラック端末２０はさらに、果実酒の納入指示を行う（ステップＢ１２）。納入時データは、納入時の温湿度データに加えて、納入時間やコメント情報が含まれる。
【００７２】
ステップＢ９で、温湿度データが管理規定値を外れていても、たとえば、あらかじめ定めた出荷許容値以内であれば、コメント情報にその旨を付して納入するようにしてもよい。図７は運送業者２がＲＦＩＤタグ１２０に書き込むデータの一例を示す図である。
【００７３】
運送業者２が果実酒を製造業者１から集荷して店舗倉庫３に納入するまでの間に運送業者２の倉庫に一時保管する場合は、その間もトラック端末２０または運送業者２の端末を使用してＮ時間毎の温湿度監視を行う。
【００７４】
果実酒は、運送業者２から店舗に納入された後、店舗倉庫３で受入処理が行われ、売場に陳列されるまでの間は店舗倉庫３に保管される。図４は店舗倉庫端末３０の動作を示すフローチャートである。
【００７５】
店舗倉庫端末３０は受入時データをＲＦＩＤリーダ・ライタ３６へ送信しＲＦＩＤタグ１２０への書き込み指示を行う。ＲＦＩＤリーダ・ライタ３６は店舗倉庫端末３０から送信された受入時データをＲＦＩＤタグ１２０へ書き込む（ステップＣ１）。受入時データには、受入時の温湿度センサ３５の計測値に加えて、店舗名、受入時間やコメント情報が含まれる。
【００７６】
店舗倉庫端末３０は運送業者２の納入時間をＲＦＩＤタグ１２０からＲＦＩＤリーダ・ライタ３６に読み取らせて受入時間との差を求める。店舗倉庫端末３０は受入時間と納入時間との差を記憶装置に格納されている制限時間（Ｍ時間）と比較する（ステップＣ２）。この差が制限時間を超えている場合は、店舗倉庫端末３０は運送業者２への返却指示を出力する（ステップＣ３）。この場合、店舗倉庫３は果実酒を運送業者２に返却する。あるいは、コメント情報としてＲＦＩＤタグ１２０に記録して、返却することなく先のステップに進むようにしてもよい。
【００７７】
さらに、店舗倉庫端末３０は前工程での温湿度データをＲＦＩＤタグ１２０からＲＦＩＤリーダ・ライタ３６に読み取らせる。前工程での温湿度データとは、製造業者１と運送業者２とが記録した温湿度データである。店舗倉庫端末３０は前工程での温湿度データを記憶装置３３に格納されている管理規定値と比較する（ステップＣ４）。前工程での温湿度データが管理規定値から外れている場合は、店舗倉庫端末３０は運送業者２への返却指示を出力する（ステップＣ５）。この場合、店舗倉庫３は果実酒を運送業者２に返却する。あるいはコメント情報としてＲＦＩＤタグ１２０に記録して、返却することなく先のステップに進むようにしてもよい。
【００７８】
果実酒が店舗倉庫３に保管されている間、店舗倉庫端末３０はＮ時間毎に温湿度センサ３５から温湿度の計測値を入手する（ステップＣ６）。
【００７９】
店舗倉庫端末３０は、入手した温湿度データと測定時間をＲＦＩＤリーダ・ライタ３６へ送信しＲＦＩＤタグ１２０への書き込み指示を行う。ＲＦＩＤリーダ・ライタ３６は送信された温湿度データと測定時間をＲＦＩＤタグ１２０へ書き込む（ステップＣ７）。
【００８０】
店舗売場４に陳列するために店舗倉庫３が果実酒を出庫するときは、店舗倉庫端末３０はＲＦＩＤリーダ・ライタ３６に対してＲＦＩＤタグ１２０に書き込まれている温湿度データを読み取るよう指示する。ＲＦＩＤリーダ・ライタ３６はＲＦＩＤタグ１２０に書き込まれている温湿度データを読み取って店舗倉庫端末３０に送信する（ステップＣ８）。
【００８１】
店舗倉庫端末３０は記憶装置３３に格納されている管理規定値を読み出し、ＲＦＩＤリーダ・ライタ３６から送信された温湿度データと比較する（ステップＣ９）。温湿度データが管理規定値を外れていた場合は店舗倉庫端末３０は果実酒の出庫取りやめ指示を行う（ステップＣ１０）。
【００８２】
温湿度データが管理規定値以内であった場合は、店舗倉庫端末３０は出庫時データをＲＦＩＤリーダ・ライタ３６へ送信しＲＦＩＤタグ１２０への書き込み指示を行う。ＲＦＩＤリーダ・ライタ３６は送信された出荷時データをＲＦＩＤタグ１２０へ書き込む。（ステップＣ１１）。店舗倉庫端末３０はさらに、果実酒の出庫指示を行う（ステップＣ１２）。出庫時データは、出庫時の温湿度データに加えて、出庫時間やコメント情報が含まれる。
【００８３】
ステップＣ９で、温湿度データが管理規定値を外れていても、たとえば、あらかじめ定めた出庫許容値以内であれば、コメント情報にその旨を付して出庫するようにしてもよい。図７は店舗倉庫３がＲＦＩＤタグ１２０に書き込むデータの一例を示す図である。
【００８４】
出庫指示のあった果実酒は、店舗倉庫３から店舗売場４へ引き渡され、店舗売場４内の所定の場所に陳列される。図５は店舗売場端末４０の動作を示すフローチャートである。
【００８５】
店舗売場端末４０は陳列時データをＲＦＩＤリーダ・ライタ４６へ送信しＲＦＩＤタグ１２０への書き込み指示を行う。ＲＦＩＤリーダ・ライタ４６は店舗売場端末４０から送信された陳列時データをＲＦＩＤタグ１２０へ書き込む（ステップＤ１）。陳列時データには、陳列時の温湿度センサ４５の計測値に加えて、店舗売場名、陳列時間やコメント情報が含まれる。
【００８６】
店舗売場端末４０は店舗倉庫３の出庫時間をＲＦＩＤタグ１２０からＲＦＩＤリーダ・ライタ４６に読み取らせて陳列時間との差を求める。店舗売場端末４０は陳列時間と出庫時間との差を記憶装置４３に格納されている制限時間（Ｍ時間）と比較する（ステップＤ２）。この差が制限時間を超えている場合は、店舗売場端末４０は店舗倉庫３への返却指示を出力する（ステップＤ３）。この場合、店舗売場４は果実酒を店舗倉庫３に返却する。あるいはコメント情報としてＲＦＩＤタグ１２０に記録して、返却することなく先のステップに進むようにしてもよい。
【００８７】
さらに、店舗売場端末４０は前工程での温湿度データをＲＦＩＤタグ１２０からＲＦＩＤリーダ・ライタ４６に読み取らせる。前工程での温湿度データとは、製造業者１と運送業者２と店舗倉庫３とが記録した温湿度データである。店舗売場端末４０は前工程での温湿度データを記憶装置４３に格納されている管理規定値と比較する（ステップＤ４）。前工程での温湿度データが管理規定値から外れている場合は、店舗売場端末４０は店舗倉庫３への返却指示を出力する（ステップＤ５）。この場合、店舗売場４は果実酒を店舗倉庫３に返却する。あるいはコメント情報としてＲＦＩＤタグ１２０に記録して、返却することなく先のステップに進むようにしてもよい。
【００８８】
果実酒が店舗売場４に陳列されている間、店舗売場端末４０はＮ時間毎に温湿度センサ４５から温湿度の計測値を入手する（ステップＤ６）。
【００８９】
店舗売場端末４０は、入手した温湿度データと測定時間をＲＦＩＤリーダ・ライタ４６へ送信しＲＦＩＤタグ１２０への書き込み指示を行う。ＲＦＩＤリーダ・ライタ４６は送信された温湿度データと測定時間をＲＦＩＤタグ１２０へ書き込む（ステップＤ７）。
【００９０】
果実酒を購入しようとする消費者は、果実酒に添付されているＲＦＩＤタグ１２０に記録されているデータをＲＦＩＤリーダ・ライタ４６に読み込ませる（ステップＤ８）。ＲＦＩＤリーダ・ライタ４６はＲＦＩＤタグ１２０から読み込んだデータを表示装置４７に表示する（ステップＤ９）。消費者は表示装置４７を読むことにより、温湿度が管理規定値以外の数値が記録されていないことを確認することができる。図９は店舗売場４がＲＦＩＤタグ１２０に書き込むデータの一例を示す図である。
【００９１】
次に、本発明の第２の実施の形態について説明する。図１０は本発明の第２の実施の形態の構成を示すブロック図である。店舗売場４の構成が図１に示す第１の実施の形態と異なる。すなわち、表示装置（図１の４７）の代わりに携帯電話機５０を有する。携帯電話機５０は店舗の客（消費者）が所有する携帯端末である。携帯電話機５０は、データを入力するための入力部５１と、データを表示するための表示部５２と、データを一時記憶するための記憶装置（図示せず）と、ＲＦＩＤリーダ５４を有する。果実酒を購入しようとする消費者は、果実酒１１０に添付されているＲＦＩＤタグ１２０に記録されているデータをＲＦＩＤリーダ５４に読み込ませる（図５のステップＤ８に相当）。ＲＦＩＤリーダ５４はＲＦＩＤタグ１２０から読み込んだデータを携帯電話機５０の表示部５２に表示する（図５のステップＤ９に相当）。消費者はＲＦＩＤリーダ付きの携帯電話機を所有していれば、売場に陳列されている果実酒１１０の温湿度データと測定時間を容易に読み取ることができる。また、ＲＦＩＤタグ１２０を添付したまま果実酒１１０を購入した場合は、果実酒１１０を自宅に持ち帰った後も温湿度データと測定時間を読み取ることができる。
【００９２】
次に、本発明の第３の実施の形態について説明する。図１１は本発明の第３の実施の形態の構成を示すブロック図である。店舗売場４の構成が図１に示す第１の実施の形態と異なる。すなわち、表示装置（図１の４７）の代わりにＰＯＳ（Point Of Sales）レジスタ６０を有する。ＰＯＳレジスタ６０はその内部または外部に、レシート発行部６１と、データを表示するための表示部６２と、データを一時記憶するための記憶装置（図示せず）と、スキャナ６７とＲＦＩＤリーダ６８と、これら各部を制御する制御部６３を有する。スキャナ６７は、商品に添付されたバーコードを読み取る装置であり、通常のＰＯＳレジスタが有するものである。果実酒を購入しようとする消費者は、果実酒１１０をレジに持参する。店員は果実酒１１０に添付されているＲＦＩＤタグ１２０に記録されているデータをＰＯＳレジスタ６０のＲＦＩＤリーダ６８に読み込ませる（図５のステップＤ８に相当）。制御部６３は、ＲＦＩＤリーダ６８がＲＦＩＤタグ１２０から読み込んだデータをレシート発行部６１に印刷させる（図５のステップＤ９に相当）。消費者は受け取ったレシートを読むことにより、温湿度が管理規定値以外の数値が記録されていないことを確認することができる。さらに、消費者はレシートを自宅に持ち帰って保管し、後日であっても温湿度データと測定時間を確認することができる。第３の実施の形態における店舗売場端末４０とＰＯＳレジスタ６０との機能分担は上記に限定されるものではない。たとえば、制御部６３の機能は店舗売場端末４０が有してもよい。
【００９３】
第１〜第３の実施の形態を組み合わせた構成も可能である。すなわち、第２または第３の実施の形態に第１の実施の形態の表示装置（図１の４７）を加えた構成、あるいは、第２の実施の形態にＲＦＩＤリーダ付きＰＯＳレジスタ（第３の実施の形態）を加えた構成等である。
【００９４】
本発明の第１〜第３の実施の形態の各端末の動作はコンピュータ・プログラム処理により行わせることが可能である。すなわち、記録媒体に記録したプログラムを各端末に読み込ませるか、あるいは、ネットワークからプログラムを各端末に読み込ませて、実施の形態で説明した動作を実行させる。
【図面の簡単な説明】
【００９５】
【図１】第１の実施の形態の構成を示すブロック図である。
【図２】製造業者端末の動作を示すフローチャートである。
【図３】トラック端末の動作を示すフローチャートである。
【図４】店舗倉庫端末の動作を示すフローチャートである。
【図５】店舗売場端末の動作を示すフローチャートである。
【図６】製造業者がＲＦＩＤタグに書き込むデータの一例を示す図である。
【図７】運送業者がＲＦＩＤタグに書き込むデータの一例を示す図である。
【図８】店舗倉庫がＲＦＩＤタグに書き込むデータの一例を示す図である。
【図９】店舗売場がＲＦＩＤタグに書き込むデータの一例を示す図である。
【図１０】第２の実施の形態の構成を示すブロック図である。
【図１１】第３の実施の形態の構成を示すブロック図である。
【符号の説明】
【００９６】
１    製造業者
２    運送業者
３    店舗倉庫
４    店舗売場
１０    製造業者端末
１１    入力部
１２    表示部
１３    記憶装置
１５    温湿度センサ
１６    ＲＦＩＤリーダ・ライタ
２０    トラック端末
２１    入力部
２２    表示部
２５    温湿度センサ
２６    ＲＦＩＤリーダ・ライタ
３０    店舗倉庫端末
３１    入力部
３２    表示部
３３    記憶装置
３５    温湿度センサ
３６    ＲＦＩＤリーダ・ライタ
４０    店舗売場端末
４１    入力部
４２    表示部
４３    記憶装置
４５    温湿度センサ
４６    ＲＦＩＤリーダ・ライタ
４７    表示装置
５０    携帯電話機
５１    入力部
５２    表示部
５４    ＲＦＩＤリーダ
６０    ＰＯＳレジスタ
６１    レシート発行部
６２    表示部
６３    制御部
６７    スキャナ
６８    ＲＦＩＤリーダ
【図１】
2005208828.tif 000003
【図２】
2005208828.tif 000004
【図３】
2005208828.tif 000005
【図４】
2005208828.tif 000006
【図５】
2005208828.tif 000007
【図６】
2005208828.tif 000008
【図７】
2005208828.tif 000009
【図８】
2005208828.tif 000010
【図９】
2005208828.tif 000011
【図１０】
2005208828.tif 000012
【図１１】
2005208828.tif 000013